(57)【特許請求の範囲】
【請求項１】
工事現場に設置される工事看板であって、
シート状に形成された表示シートと、情報を記載する個別のシートとを備え、
個別のシートは、生分解性プラスチックを用いた粘着性ラベルであり、表示シートに貼り付けおよび剥離可能であることを特徴とする工事看板。
【請求項２】
表示シートの裏面側には表示シートを固定する表示シート固定板が設けられていることを特徴とする請求項１に記載の工事看板。
【請求項３】
表示シートは剥離可能な状態で表示シート固定板に貼り付けられていることを特徴とする請求項２に記載の工事看板。
【請求項４】
表示シート固定板はプラスチック段ボールを用いて形成されていることを特徴とする請求項３に記載の工事看板。
【請求項５】
表示シートは枠体に収容されており、枠体は表示シートの裏面を支持する背板と、表示シートの両側辺を支持する第１支持部と、表示シートの下端辺を支持する第２支持部とを備え、上部には表示シートを出し入れ可能な開口部が形成されていることを特徴とする請求項１に記載の工事看板。
【発明の詳細な説明】
【技術分野】
【０００１】
本発明は、新築工事現場などに設置する工事看板に関する。
【背景技術】
【０００２】
新築工事現場などでは、確認済証交付者、建築主、設計者、工事施工者、工事現場管理者などを表示するために工事看板が設置される。工事看板は、工事期間中、工事現場に設置され、工事が完了した後に撤去される。建築主などの個人情報が表示された表示シートは他の工事現場に転用することができないので、産業廃棄物処理業者によって回収される。処理業者は回収した表示シートを焼却し、あるいは埋め立て地に埋めて処分する。
【０００３】
特許文献１には、合成樹脂が含浸等されたシート状の看板面体を備え、有害なガスを発生させることなく焼却処分することができる立看板が記載されている。
【先行技術文献】
【特許文献】
【０００４】
【特許文献１】特開２００１−８３８８３号公報
【発明の概要】
【発明が解決しようとする課題】
【０００５】
処理業者が表示シートを埋め立て地に埋めて処分した場合には、埋め立て地が掘り起こされて埋めた表示シートが露出する場合がある。表示シートが露出した状態で放置されると、工事看板に表示された建築主などの個人情報が人目に晒されるという問題がある。
特許文献１に記載の立看板においても、看板面体を埋め立て地に埋めて処分した場合には、看板面体に表示された個人情報が人目に晒される可能性がある。
【０００６】
本発明の目的は、このような課題を解決するもので、建築主などを表示する表示部を埋め立て処分した埋め立て地が掘り起こされた場合であっても、表示部に表示された個人情報が人目に晒されることがない工事看板を提供することである。
【課題を解決するための手段】
【０００７】
この課題を解決するために請求項１の発明は、工事現場に設置される工事看板であって、シート状に形成された表示シートと、情報を記載する個別のシートとを備え、個別のシートは、生分解性プラスチックを用いた粘着性ラベルであり、表示シートに貼り付けおよび剥離可能であるものである。
【０００８】
請求項２の発明は、表示シートの裏面側には表示シートを固定する表示シート固定板が設けられているものである。
請求項３の発明は、表示シートが剥離可能な状態で表示シート固定板に貼り付けられているものである。
【０００９】
請求項４の発明は、表示シート固定板がプラスチック段ボールを用いて形成されているものである。
請求項５の発明は、表示シートが枠体に収容されており、枠体は表示シートの裏面を支持する背板と、表示シートの両側辺を支持する第１支持部と、表示シートの下端辺を支持する第２支持部とを備え、上部には表示シートを出し入れ可能な開口部が形成されているものである。
【発明の効果】
【００１０】
請求項１の発明によると、表示シートは生分解性プラスチックを用いて形成されており、地中に埋められたとき微生物によって水や二酸化炭素に分解可能であるので、表示シートを埋め立て処分した埋め立て地が掘り起こされた場合であっても表示シートに表示された個人情報が人目に晒されることがない。
請求項２の発明によると、表示シートの裏面側には表示シート固定板が設けられているので、表示シートを表示シート固定板に固定して設置することができる。
請求項３の発明によると、表示シートは、引き剥がし可能な状態で表示シート固定板に貼り付けられるので、工事期間中は表示シート固定板に表示シートを貼り付けて表示することができ、工事終了後には表示シート固定板から引き剥がして処分することができる。
請求項４の発明によると、表示シート固定板を安価に作成することができるとともに、表示シートを表示シート固定板からいっそう容易に引き剥がすことができる。
【００１１】
請求項５の発明によると、工事期間中は表示シートを枠体に収容して表示することができ、工事終了後は表示シートを枠体の開口部から取り出して簡単に廃棄することができる。
【図面の簡単な説明】
【００１２】
【図１】本発明の第１の実施の形態に係る工事看板の外観図である。
【図２】本発明の第２の実施の形態に係る工事看板の外観図である。
【図３】表示シートを枠体に収容する手順を示す図である。
【発明を実施するための形態】
【００１３】
以下、本発明の第１の実施の形態について図１に基づいて説明する。図１は本発明の第１の実施の形態に係る工事看板１の外観図である。工事看板１は、表示シート２と、表示シート２の裏面側に設置される表示シート固定板３とを備える。表示シート２は、生分解性プラスチックを用いた粘着性ラベルである。表示シート２として、たとえば東洋シール社製バイオマスラベルＴＦ−３５Ｊが用いられる。東洋シール社製バイオマスラベルＴＦ−３５Ｊは、ポリ乳酸を用いて形成されており厚みが３５μｍである。
【００１４】
表示シート２には、確認済証交付者、建築主、設計者、工事施工者、工事現場管理者などが表示される。表示シート２の裏面側には表示シート２を表示シート固定板３に貼り付けるための粘着剤が塗布されている。表示シート２の粘着剤は、表示シート２を表示シート固定板３に貼り付けて固定することができ、表示シート固定板３に貼り付けた表示シート２を容易に剥離することができる粘着力を備えている。
【００１５】
表示シート２が貼り付けられる表示シート固定板３は、プラスチック段ボールを用いて、たとえば長方形の平板状に形成される。プラスチック段ボールの表面は波打った凹凸状に形成されているので、表示シートを表示シート固定板からいっそう容易に引き剥がすことができるとともに、表示シート固定板を安価に作成することができる。
【００１６】
表示シート固定板３に貼り付けられた表示シート２は、工事期間中、建築主などを表示する工事看板１として使用される。工事終了後、表示シート２は、表示シート固定板３に貼り付けられた状態で工事現場から撤去される。工事現場から撤去された表示シート２は産業廃棄物回収業者によって回収される。表示シート２は、回収業者によって表示シート固定板３から剥離された後に焼却処分され、あるいは埋め立て地に埋めて処分される。
表示シート２はポリ乳酸を用いた生分解性プラスチックによって形成されており、埋め立て地に埋められた表示シート２は、地中の微生物によって水や二酸化炭素に分解されるので、表示シート２が埋められた埋め立て地が掘り起こされた場合であっても、表示シート２に表示された個人情報が人目に晒されることが防止される。
【００１７】
なお、表示シート２が剥離された表示シート固定板３は、プラスチックの原料として再利用される。表示シート２を形成する生分解性プラスチックはポリ乳酸を用いたものに限定されるものではなく、たとえばＰＢＳ（ポリブチレンサクシネート）系樹脂を用いたものであっても良い。表示シート２の裏面全体に粘着剤を塗布することなく、表示シート２の裏面に塗布される粘着剤の範囲を限定することによっても、表示シート固定板３に貼り付けられた表示シート２をいっそう容易に剥離することができる。
【００１８】
図示しないが、表示シート２を表示シート固定板３に貼り付けることなく、剥離紙に粘着した状態の表示シート２をそのまま表示シート固定板３に係止するものでも良い。たとえば、剥離紙に粘着した状態の表示シート２を表示シート固定板３にクリップ止めすることができる。工事終了後、表示シート２が剥離紙とともに埋め立て地に埋めて処分された場合であっても、表示シート２は水や二酸化炭素に分解可能であり、表示シート２に表示された個人情報が人目に晒されることを防止することができる。
【００１９】
図２は本発明の第２の実施の形態に係る工事看板１１の外観図である。本発明の第２の実施の形態について図２に基づいて説明する。第１の実施の形態についての説明と重複する部分については説明を省略し同一の参照符を用いる。建築主などの個人情報は、個別のシート１２に記載される。個別のシート１２は、生分解性プラスチックを用いた粘着性ラベルである。個別のシート１２として、たとえば東洋シール社製バイオマスラベルＴＦ−３５Ｊを用いることができる。東洋シール社製バイオマスラベルＴＦ−３５Ｊは、ポリ乳酸を用いて形成されており厚みが３５μｍである。
【００２０】
個別のシート１２は、工事期間中、表示シート２の該当する表示欄１３に貼り付けて表示され、工事終了後、焼却処分され、あるいは埋め立て地に埋めて処分される。表示シート２は他の工事現場で繰り返し使用することができるので、廃棄物の量を削減することができる。埋め立て地に埋められた個別のシート１２は、地中の微生物によって水や二酸化炭素に分解されるので、個別のシート１２が埋められた埋め立て地が掘り起こされた場合であっても、個別のシート１２に表示された個人情報が人目に晒されることを防止することができる。個別のシート１２は封筒などに収容可能なサイズとすることができるので、回収業者は表示シート２から剥離した個別のシート１２を封筒などに入れて回収することができる。表示シート２は、他の工事現場で繰り返し使用することができる。
【００２１】
図３は表示シート２を枠体２２に収容する手順を示す図である。本発明の第３の実施の形態について図３に基づいて説明する。第１または第２の実施の形態についての説明と重複する部分については説明を省略し同一の参照符を用いる。本実施の形態に係る工事看板２１は枠体２２を備える。表示シート２は、剥離紙２３に粘着した状態で剥離紙２３とともに枠体２２に収容される。
枠体２２は、表示シート２の裏面を支持する背板２２ａと、背板２２ａと一体的に形成され表示シート２の両側辺を支持する第１支持部２２ｂと、背板２２ａの下端に設けられ表示シート２の下端辺を支持する第２支持部２２ｃとを備える。枠体２２に収容された表示シート２の表面側には、表示シート２が弛まないように透明なアクリル板２４が設けられ、表示シート２が収容された枠体２２の上部はカバー２２ｄで覆われる。表示シート２の表面側に設けられる板はアクリル板に限定されるものではなく、ガラス製あるいは他の樹脂製の板を用いることができる。
【００２２】
剥離紙２３に粘着した状態の表示シート２は、枠体２２に収容されて、工事期間中、工事看板２１として使用される。工事終了後、工事現場から撤去された表示シート２は、回収業者によって回収されて剥離紙２３とともに焼却処分され、あるいは埋め立て地に埋めて処分される。表示シート２は剥離紙２３に粘着した状態で枠体２２に収容されるので、表示シート２を固定する表示シート固定板３が不要である。
【００２３】
表示シート２が剥離紙２３とともに埋め立て地に埋めて処分された場合には、表示シート２は地中の微生物によって水や二酸化炭素に分解可能であり、表示シート２を埋めた埋め立て地が掘り起こされた場合であっても、表示シート２に表示された個人情報が人目に晒されることを防止することができる。
【００２４】
このように、工事現場に設置される工事看板１は、生分解性プラスチックを用いてシート状に形成され地中に埋められたとき微生物によって水や二酸化炭素に分解可能な表示シート２を備えるので、表示シート２を埋め立て処分した埋め立て地が掘り起こされた場合であっても、表示シート２に表示された個人情報が人目に晒されることを防止することができる。
【００２５】
さらに、表示シート２の裏面側には表示シート２を固定する表示シート固定板３が設けられているので、表示シート２を表示シート固定板３に固定した状態で設置することができる。
【００２６】
さらに、表示シート２は剥離可能な状態で表示シート固定板３に貼り付けられているので、工事期間中は表示シート２を表示シート固定板３に貼り付けて表示することができ、工事終了後には表示シート２を表示シート固定板３から引き剥がして処分することができる。
【００２７】
さらに、表示シート固定板３はプラスチック段ボールを用いて形成されているので、表示シート固定板３を安価に作成することができるとともに、表示シート固定板３から表示シート２をいっそう容易に剥離することができる。
【００２８】
さらに、表示シート２は枠体２２に収容されており、枠体２２は表示シート２の裏面を支持する背板２２ａと、表示シート２の両側辺を支持する第１支持部２２ｂと、表示シート２の下端辺を支持する第２支持部２２ｃとを備え、上部には表示シート２を出し入れ可能な開口部が形成されているので、工事期間中は表示シート固定板３を設けることなく表示シート２を枠体２２に収容して表示することができ、工事終了後は枠体２２の開口部から表示シート２を取り出して簡単に廃棄することができる。
【符号の説明】
【００２９】
１，１１，２１    工事看板  
２    表示シート
３    表示シート固定板
１２    個別のシート
１３    表示欄
２２    枠体
２２ａ    背板
２２ｂ    第１支持部
２２ｃ    第２支持部
２２ｄ    カバー
２３    剥離紙
２４    アクリル板
【図１】
0006016370.tif 000002
【図２】
0006016370.tif 000003
【図３】
0006016370.tif 000004